(57)【要約】      （修正有）【課題】    デジタルカメラ用のデジタル式写真立てを提供する。【解決手段】  写真の特性とディスプレイパネルを合わせるように自動調節機能を有するデジタル式写真立てであって、フレーム本体１０と、出入力インターフェースと１１、コントロールユニット１３と、イメージプロセッシングユニット１５と、ディスプレイパネル１６、及びコントロールパネル１７を備える構成とした。コントロールユニット１３は、写真のデジタルイメージフォーマットに従って写真がディスプレイパネル１６に合っているかどうかを判定し、写真がディスプレイパネル１６に合っている場合には、そのまま直接ディスプレイパネル１６に表示し、ディスプレイパネル１６と合っていない場合には、写真を回転させてから、ディスプレイパネル上に表示するようにし、写真がディスプレイパネルに合うように自動調節できるようにした。【選択図】    図２
2008036330.tif 000002
【特許請求の範囲】
【請求項１】
写真とディスプレイパネルが合うように自動調節することのできるデジタル式写真立てであって、前記デジタル式写真立ては、
前方部を有するフレーム本体と、
複数の写真を読み取るために前記フレーム本体の内部に配置された出入力インターフェースと、
前記フレーム本体内部に配置され、出入力インターフェースに連結され、各々の写真のデジタルイメージフォーマットを判定するためのコントロールユニットと、
前記コントロールユニットに連結されたイメージプロセッシングユニットと、
前記フレーム本体の前方部に配置され、前記イメージプロセッシングユニットに連結されたディスプレイパネルと、
から成り、
前記コントロールユニットが、写真のデジタルイメージフォーマットがディスプレイパネルと合わない場合に、コントロールユニットが写真を回転させて、ディスプレイパネルに合わせるようすることを特徴とするデジタル式写真立て。
【請求項２】
前記デジタル式写真立てが、更に、前記フレーム本体の内部に配置され、前記コントロールユニットに連結され、複数枚の写真を貯蔵するストレージユニットを含んでいることを特徴とする請求項１に記載のデジタル式写真立て。
【請求項３】
前記デジタル式写真立てが、更に、前記フレーム本体の前方部に配置され、前記コントロールユニットに連結されたコントロールパネルを含んでいることを特徴とする請求項１又は２に記載のデジタル式写真立て。
【発明の詳細な説明】
【技術分野】
【０００１】
本発明はデジタル式写真立てに関し、更に具体的に説明すると、写真立ての表示パネルに合わせて写真を自動調節するデジタル式写真立てに関するものである。
【背景技術】
【０００２】
デジタル製品は今日益々隆盛を極め、従来の伝統的な装置はどんどんデジタル装置に取り替わられてきており、デジタルカメラなどはその良い例である。しかし、カメラはデジタルカメラとして消費者に入手可能になったけれども、写真を現像したり写真立てに写真を展示する方法などは旧態依然としている。加えて、写真の現像では時間がかかるばかりでなく、写真を保管するのにも費用がかかる。
【０００３】
写真を保管する際の不都合を鑑みて、デジタル式写真立てが登場した。デジタル式写真立ては、表示パネル（液晶ディスプレイ；ＬＣＤ）のような装置とカードリーダーを含んでいる。使用者はデジタルカメラのメモリーカードをデジタル式写真立てのカードリーダーに挿入するだけでデジタル式写真立ての液晶画面にデジタル写真を表示することができるようになっている。
【０００４】
好みのデジタル写真を選んで、デジタル式写真立てに表示したり、写真を回転させて表示することもできる。従って、写真を現像するのに掛る費用や不便さをなくすことができ、デジタル式写真立ては消費者に広く受け入れられている。
【０００５】
一般に写真は２つのタイプがあり；幅が縦の高さよりも大きい場合の水平タイプと、縦の丈の方が写真の幅よりも高い場合の垂直タイプに分けられる。デジタル式写真立てはデジタルフォーマットに形成された写真の特性に従って写真のタイプを把握することができる。
水平タイプの写真のほうが一般的であるので、デジタル式写真立てもこのタイプに合わせて製造されることが多い。しかし、このようなデジタル式写真立てで垂直タイプの写真を表示すると、左右の空白領域が真っ黒に見えるだけでなく、デジタル式写真立ての表示パネルに合わせるために写真のサイズが全体に小さくなり過ぎてしまう。従って、デジタル式写真立てには依然として改良の余地が残されている。
【発明の開示】
【発明が解決しようとする課題】
【０００６】
本発明は、写真をディスプレイパネルに合わせるよう自動調節するデジタル式写真立てを提供することをその主要な目的とする。
この目的を達成するために、本発明の主たる技術は、フレーム本体、出入力インターフェース、コントロールユニット、イメージプロセッシングユニット、ディスプレイパネル及びコントロールパネルを備え、該コントロールユニットが、デジタルイメージフォーマットに従って写真がディスプレイパネルと合致しているかどうかを判定し、合致しいている場合にはそのまま直接ディスプレイパネルに表示し、合致していなければ、写真を回転させてからディスプレイパネルに表示するするように自動調節することを特徴とする。
【課題を解決するための手段】
【０００７】
請求項１の発明は、写真とディスプレイパネルが合うように自動調節することのできるデジタル式写真立てであって、前記デジタル式写真立ては、前方部を有するフレーム本体と、複数の写真を読み取るために前記フレーム本体の内部に配置された出入力インターフェースと、前記フレーム本体内部に配置され、出入力インターフェースに連結され、各々の写真のデジタルイメージフォーマットを判定するためのコントロールユニットと、前記コントロールユニットに連結されたイメージプロセッシングユニットと、前記フレーム本体の前方部に配置され、前記イメージプロセッシングユニットに連結されたディスプレイパネルと、から成り、前記コントロールユニットが、写真のデジタルイメージフォーマットがディスプレイパネルと合わない場合に、コントロールユニットが写真を回転させて、ディスプレイパネルに合わせるようすることを特徴とする。
【０００８】
請求項２の発明は、前記デジタル式写真立てが、更に、前記フレーム本体の内部に配置され、前記コントロールユニットに連結され、複数枚の写真を貯蔵するストレージユニットを含んでいることを特徴とする。
【０００９】
請求項３の発明は、前記デジタル式写真立てが、更に、前記フレーム本体の前方部に配置され、前記コントロールユニットに連結されたコントロールパネルを含んでいることを特徴とする。
【発明の効果】
【００１０】
本発明は、デジタルイメージフォーマットに従ってコントロールユニットが表示する写真の特性を把握して、写真の特性とディスプレイパネルとが合うかどうか判定し、垂直タイプの写真のために両者の特性が合っていない場合には写真を回転させて自動調節できるようにしたので、従来のように、水平方向のディスプレイパネルに垂直タイプの写真を縦に表示して、両側空域が真っ黒に表示されたり、写真全体のサイズが小さくなったりするのを防止できるので、良好な状態で写真を表示できる優れた特徴がある。
【発明を実施するための最良の形態】
【００１１】
以下に、添付図面を参照しながら本発明の好適な実施の形態を詳細に説明するが、それらの具体的な構造は単に本発明の実施可能な実施例に過ぎず、本発明の特許請求の範囲を狭義的に定義するものではないことが言うまでもないことである。
（実施の形態１）
【００１２】
本発明の第１の実施形態を図１及び２を参照して説明する。この第１の実施の形態は、フレーム本体１０と、出入力インターフェース１１と、バッファーユニット１２と、コントロールユニット１３と、ストレージユニット１４と、イメージプロセッシングユニット１５と、ディスプレイパネル１６と、コントロールパネル１７とから構成される。
【００１３】
フレーム本体１０は矩形であって、フレーム本体１０の前方部には回転可能な円形フレーム１０１が配置されている。
フレーム本体１０の内部には、出入力インターフェース１１が配置されていて、外づけの貯蔵装置１１１に接続するのに用いられ、外づけの貯蔵装置１１１に貯蔵した、デジタルイメージフォーマットとして形成された多数の写真を読み取る。
出入力インターフェース１１にはバッファーユニット１２が接続されていて、外づけ貯蔵装置１１１から読み取った写真を一時的に貯蔵するようになっている。
【００１４】
更に、フレーム本体１０の内部には、バッファーユニット１２に接続されてコントロールユニット１３が配置されている。コントロールユニット１３は本願発明のデジタル式写真立ての処理センターである。コントロールユニット１３は、デジタルイメージフォーマットに従って、バッファーユニット１２に貯蔵された写真が水平タイプのものか垂直タイプのものかを決定する。写真が垂直タイプの場合、写真は垂直状態から水平状態に回転させられ、水平タイプのものと同じようになる。
フレーム本体１０の内部に写真を貯蔵するためにストレージユニット１４が内蔵されている。
フレーム本体１０内部には、更に、写真を処理するために、イメージプロセッシングユニット１５がコントロールユニット１３に接続されて内蔵してある。
【００１５】
ディスプレイパネル１６が回転可能な円形フレーム１０１に配置されていて、イメージプロセッシングユニット１５に連結されている。ディスプレイパネル１６は、長辺および短辺を有する標準的な長方形に形成してある。ディスプレイパネル１６は写真を表示するために使用される。
【００１６】
コントロールパネル１７がフレーム本体１０の前方部に配置されていて、コントロールユニット１３に連結されている。使用者は好みの写真を選択してから、コントロールパネル１７を使ってディスプレイパネル１６上に写真を表示する。
【００１７】
図３に関して説明すると、ここには本発明の第１の実施形態のフローチャートが示されている。
ステップ２０において、外づけの貯蔵装置１１１か、内部のストレージユニット１４が写真を読み取る。ステップ２１で、コントロールユニット１３が、デジタルイメージフォーマットに形成された写真が水平タイプかどうかを判定する。
【００１８】
現在の写真が水平タイプである場合、ステップ２２で、この写真はイメージプロセッシングユニット１５で処理される。そして、ステップ２３において、ディスプレイパネル１６が写真を表示する。
【００１９】
反対に、写真が水平タイプでなく、垂直タイプであれば、ステップ２４において、コントロールユニット１３が写真を回転させる。そして、ステップ２２で、写真はイメージプロセッシングユニット１５で処理され、ステップ２３において、ディスプレイパネル１６が写真を表示する。このような方法で、元々は垂直タイプの写真をディスプレイパネル１６の全体画面に合致させるように水平タイプのものに変換できる。従って、ディスプレイパネル１６に合わせるために垂直タイプの写真が小さくなり過ぎるという問題や、ディスプレイパネル１６の両側に真っ黒いイメージが現われるといった問題を解決することができる。
【００２０】
ステップ２３を終了した後、更にステップ２５で、使用者は、別の写真を選択して表示するようにコントロールパネル１７を更に操作し続けるのかどうかを判定する。コントロールパネル１７を使えば、振出しのステップ２０に戻り、外づけの貯蔵装置１１１や内蔵したストレージユニット１４から別の写真を読み取る工程が始まる。使用者がコントロールパネル１７を使わない場合、写真はステップ２３で表示したままの状態にある。
【００２１】
図４(Ａ)では、前述の工程により、垂直タイプの写真がディスプレイパネル１６に合うように回転させられたが、角度が間違っている状態が示されている。この場合、使用者は、回転可能な円形フレーム１０１を回して、写真の角度に合うようにディスプレイパネル１６の角度を調節する。そして、図４(Ｂ)に示すように、デジタル式写真立て１０はディスプレイパネル１６に合わせるように写真を調節するばかりでなく、角度調整された写真を表示することができる。
【００２２】
更に、この第１の実施形態では、回転可能な円形フレーム１０１を使用して写真を回転させるようにしているが、実際に使用する場合には、デジタル式写真立てに回転可能な円形フレーム１０１が含まれていない形態のものでも、フレーム本体１０そのものを回転させれば同様な目的は得られるわけで、これも本発明の範囲に属するものである。
（実施の形態２）
【００２３】
図５に、本発明の第２の実施の形態を示す。この第２の実施の形態は第１の実施の形態とほぼ同じであるが、第１の実施の形態との違いは、第２実施形態のデジタル式写真立てが、更に、ティルトディテクター（tilt detector）１８とトランスミッションユニット１９とを含んでいることで、これらユニットによって、ディスプレイパネル１６は、手動操作の不便さを取り除き、自動的に回転させることができる。
【００２４】
ティルトディテクター１８は、ディスプレイパネル１６が水平タイプのものである場合の水平基準を伴って回転可能な円形フレーム１０１に配置されていて、ディスプレイパネル１６の方向が水平タイプのものか垂直タイプものかを検知するためのものである。
【００２５】
トランスミッションユニット１９はコントロールユニット１３と円形フレーム１０１との間に連結されていて、コントロールユニット１３がトランスミッションユニット１９を制御して、円形フレーム１０１を回転させて、ディスプレイパネル１６が写真の正しい方向へ更に回転されるようになる。
【００２６】
この第２の実施の形態では、写真を正しい方向へ表示するために使用者は手動でディスプレイパネルを操作する必要がない。本願発明のデジタル式写真立ては写真フォーマットを自動的に探知し、円形フレーム１０１を自動回転させ、ディスプレイパネル１６を回転させ、写真を正しい方向に表示することができる。
（実施の形態３）
【００２７】
更に本発明の第３の実施の形態は第２の実施の形態と大体においては同様であるが、この第３の実施の形態が異なるところは、ストレージユニット１４に貯蔵されている写真の表示順をデジタルイメージフォーマットに従ってコントロールユニット１３が割り振るということであり、コントロールユニット１３は同じタイプの写真立てを連続的に表示できるようになっている。
従って、写真フォーマットが違っているために写真を正しく表示するようディスプレイパネル１６を何度も繰り返して回転させなければならない手間を省くことができる。
【００２８】
上述したことから、本発明の、ディスプレイパネルに合わせるよう写真を自動調節することのできるデジタル式写真立ては、コントロールユニットを利用して写真が水平タイプのものか垂直タイプのものかを探知できるということが明瞭に理解されよう。探知された写真が水平タイプであれば、写真はディスプレイパネル１６に直接そのまま表示される。反対に写真が垂直タイプのものであれば、コントロールユニットは写真を回転させてから、ディスプレイパネル上に写真を表示するようにする。
【００２９】
このような方法で、写真はディスプレイパネルに合うように自動調節されるので、水平方向のディスプレイパネルに垂直タイプの写真を表示して、写真の両側領域が真っ黒に表示されたり、写真全体のサイズが小さくなったりする従来のデジタル式写真立ての不具合を回避することができる。従って、本発明の、ディスプレイパネルに合わせるよう写真を自動調節することのできるデジタル式写真立ては、優れた実用性を含み、過去に周知ではなく、特許取得要件を満たすものである。
【００３０】
また、前記に開示した構造は、単に本発明の実施可能な実施例を具体的に詳細に説明したものであり、本発明の実施形態に示す構成に限らず、本発明の特許請求の範囲の各請求項に記載した技術的範囲を逸脱しない範囲において、種々に変更し変形できることは言うまでもない。
【図面の簡単な説明】
【００３１】
【図１】本発明の第１の実施の形態の斜視図。
【図２】第１の実施の形態のブロック図。
【図３】第１の実施の形態のフローチャート。
【図４】(Ａ)は第１の実施の形態のディスプレイパネルの動きを示す図、(Ｂ)は角度調整された第１の実施の形態のディスプレイパネルの動きを示す図。
【図５】本発明の第２の実施の形態のブロック図である。
【符号の説明】
【００３２】
１０    フレーム本体
１０１  円形フレーム
１１    出入力インターフェース
１２    バッファーユニット
１３    コントロールユニット
１４    ストレージユニット
１５    イメージプロセッシングユニット
１６    ディスプレイパネル
１７    コントロールパネル
【図１】
2008036330.tif 000003
【図２】
2008036330.tif 000004
【図３】
2008036330.tif 000005
【図４】
2008036330.tif 000006
【図５】
2008036330.tif 000007